(57)【要約】【課題】屈曲した形状を有する指針の中間部を遮光カバーで覆う場合でも組み付け作業を良好に行い得る指示計器を提供する。【解決手段】指針軸２１を突設してなる駆動装置２と、指標部４１を有する表示板４と、連結部６１と回転基部６２と指示部６４と中間部６５とを有する指針６と、この指針６の少なくとも回転基部６２上を覆い指示部６４と指標部４１を露出するように配置される表示部材５とを備え、指針６の少なくとも中間部６５が互いに分割形成された第１，第２のカバー部７１，７２を組み合わせてなる遮光カバー７に覆われてなる指示計器において、第１のカバー部７１に指針６が挿入される筒部７１２を部分形成してなる。【選択図】図６
2011064522.tif 000002
【特許請求の範囲】
【請求項１】
指針軸を突設してなる駆動装置と、この駆動装置の前方に配置され指標部を有する表示板と、透光性材料からなり前記指針軸に連結される連結部と前記指針軸の回転平面方向に延びる回転基部と前記表示板に沿って延び前記指標部を指示する指示部とこの指示部と前記回転基部とを繋ぐように前記指示部及び前記回転基部とは異なる方向に延びる中間部とを有する指針と、この指針の少なくとも回転基部上を覆い前記指示部と前記指標部を露出するように配置される表示部材とを備え、前記指針の少なくとも前記中間部が互いに分割形成された少なくとも第１のカバー部と第２のカバー部とを組み合わせてなる遮光カバーに覆われてなる指示計器において、前記第１のカバー部と前記第２のカバー部の少なくとも一方に前記指針が挿入される筒部を部分形成してなることを特徴とする指示計器。
【請求項２】
前記第１のカバー部か前記第２のカバー部の一方に前記指示部を部分的に覆う第３のカバー部を連続形成したことを特徴とする請求項１記載の指示計器。
【請求項３】
前記回転基部が第４のカバー部にて覆われてなることを特徴とする請求項１記載の指示計器。
【発明の詳細な説明】
【技術分野】
【０００１】
本発明は、例えば自動車やオートバイに搭載される指示計器に関し、特に指針の回転軌道内中央部に表示部材を備えるタイプの指示計器に関する。
【背景技術】
【０００２】
この種の指示計器として例えば下記特許文献１に記載されたものが知られている。この指示計器は、指針の先端側を露出させ回転中心領域側を遮蔽するように、指針と表示板とで構成される指針式表示部の中央前面側に表示部材が配置されている。この表示部材は、液晶表示パネル等からなり、外縁形状が正面視円形となる支持部材に支持されている。表示板は、表示部材にて遮蔽される中央部（不可視部）側が奥まり、表示部材より露出する外周部（可視部）側が観察者に向かうに従って徐々に拡径するラッパ形に形成され、ラッパ形可視部の適宜位置に指針の指示対象となる指標部を設けることで指標部と表示部材との高さが近くなるように構成している。指針は、透光性材料にて形成され、例えばステッピングモータの指針軸に連結される連結部を有すると共に指針軸の回転平面方向に延びる基部と、表示板に沿って延び指標部を指示する指示部と、この指示部と基部とを繋ぐように指示部及び基部とは異なる方向に延びる中間部とを有し、基部から導入した光を中間部を介して指示部に導くことで指示部が発光するようになっている。この場合、指針は、中間部と基部とが表示部材に覆われて不可視となる構成である。
【先行技術文献】
【特許文献】
【０００３】
【特許文献１】特開２００２−０３９８０７号公報
【特許文献２】特開２００６−１３８７２５号公報
【発明の開示】
【発明が解決しようとする課題】
【０００４】
しかしながら、前記特許文献１に記載の指示計器は、指針の指示部を光を導光する過程で中間部から漏れた光が表示板等の周囲の部品を照らし、これにより照明品質が低下する場合がある。このため、上記特許文献２に記載されているように屈曲する指針部を遮光カバーで覆うことが考えられるが、屈曲して連続する指針部に筒状の遮光カバーを挿入することはできないため、予め長手方向に分割形成しておいた遮光カバーを中間部に組み付けることになるが、組み付け作業時に遮光カバーの分割片が脱落することがあり、組み付け作業に難点がある。
【０００５】
そこで、本発明は前述した問題点に着目し、屈曲した形状を有する指針の中間部を遮光カバーで覆う場合でも組み付け作業を良好に行い得る指示計器を提供することを目的とする。
【課題を解決するための手段】
【０００６】
本発明は、指針軸を突設してなる駆動装置と、この駆動装置の前方に配置され指標部を有する表示板と、透光性材料からなり前記指針軸に連結される連結部と前記指針軸の回転平面方向に延びる回転基部と前記表示板に沿って延び前記指標部を指示する指示部とこの指示部と前記回転基部とを繋ぐように前記指示部及び前記回転基部とは異なる方向に延びる中間部とを有する指針と、この指針の少なくとも回転基部上を覆い前記指示部と前記指標部を露出するように配置される表示部材とを備え、前記指針の少なくとも前記中間部が互いに分割形成された少なくとも第１のカバー部と第２のカバー部とを組み合わせてなる遮光カバーに覆われてなる指示計器において、前記第１のカバー部と前記第２のカバー部の少なくとも一方に前記指針が挿入される筒部を部分形成してなることを特徴とする。
このように構成することにより、組み付け時に互いに分割形成された遮光カバーの分割片を筒部を通じて保持できるため、組み付け時に分割片の脱落を防止でき、組み付け性を良好なものとなし得る。
【０００７】
また本発明は、前記第１のカバー部か前記第２のカバー部の一方に前記指示部を部分的に覆う第３のカバー部を連続形成したことを特徴とする。
このように構成することにより、指示部を覆う専用のカバー部材を設ける必要がなく、コストダウンを達成することができる。
【０００８】
また本発明は、前記回転基部が第４のカバー部にて覆われてなることを特徴とする。
このように構成することにより、回転基部からの光漏れを抑制することができる。
【発明の効果】
【０００９】
本発明によれば、屈曲した形状を有する指針の中間部を遮光カバーで覆う場合でも組み付け作業を良好に行い得る指示計器を提供することができる。
【図面の簡単な説明】
【００１０】
【図１】本発明の一実施形態による指示計器の正面図（ハッチング省略）。
【図２】図１のＡ−Ａ断面図（ハッチング省略）。
【図３】同実施形態における指針の正面図。
【図４】同実施形態における指針の側面図。
【図５】同実施形態における指針の斜視図。
【図６】同実施形態における指針の分解斜視図。
【図７】同実施形態における指針の背面側を示す正面図。
【発明を実施するための形態】
【００１１】
本発明の一実施形態による指示計器は、例えば車両の速度計であり、回路基板１と、駆動装置２と、ケース体３と、表示板４と、表示部材５と、指針６とを備えている。
【００１２】
回路基板１は、紙フェノールやガラスエポキシ等の絶縁部材に図示しない回路パターンを印刷してなる硬質の配線基板からなり、駆動装置２が固定支持される他、例えば発光ダイオードからなり、表示板４と指針６を照明する光源Ｌや図示しない各種回路素子が実装されている。
【００１３】
駆動装置２は、例えばステッピングモータからなり、回路基板１の背面側に固定配置されると共に回路基板１を貫通する指針軸２１を備えている。
【００１４】
ケース体３は、例えば乳白色の合成樹脂からなり、回路基板１の前方側に配置され、表示板４を背後から支持する。またケース体３は、光源Ｌの光を表示板４と指針６に導く反射部材としての機能も有している。
【００１５】
表示板４は、例えば合成樹種からなる透明基板にスクリーン印刷を行うことにより指針６の指示対象となる目盛や文字等の指標部４１とその背景を設けた周知な印刷パネルからなり、表示部材５にて覆われる中央部（不可視部）側が奥まり、表示部材５より露出する外周部（可視部）側が観察者に向かうに従って徐々に拡径するラッパ形に形成され、ラッパ形可視部の適宜位置に指標部４１を設けることで指標部４１と表示部材５との高さが近くなるように構成している。
【００１６】
また表示板４は、前記中央部に貫通孔４２を有し、この貫通孔４２を介して指針軸２１と指針６との連結する構成である。また表示板４は、光源Ｌの発光により指標部４１が照明されるようになっている。
【００１７】
表示部材５は、例えば液晶パネルからなる表示素子５１と、この表示素子５１を収容し、指針上に支持する保持体５２とで構成されている。
【００１８】
表示素子５１は、例えば車両情報としてシフトポジションを示すものであるが、表示する情報は任意である。
【００１９】
保持体５２は、指針の可動範囲を外れた箇所に図示しない支持部が形成され、この支持部がケース体３に固定されることで、表示部材５は、指針６の後述する回転基部上を覆い同じく後述する指示部と指標部４１を露出するように配置される。
【００２０】
指針６は、例えば透光性合成樹脂からなり、指針軸２１に近い部分から、ボス部（後述する連結部）と、板状部（後述する回転基部）と、屈曲した棒状部（後述する中間部と支持部）とで構成されると共に、一部を除いて遮光カバー７に覆われている。
【００２１】
前記ボス部は、指針軸２１に指針６を連結する連結部６１を形成し、この連結部６１は、指針軸２１に沿って延びると共に指針軸２１を挿入する孔部を有している。
【００２２】
前記板状部は、指針軸２１の回転平面方向に延びる円盤形の回転基部６２を形成し、この回転基部６２と後述する中間部との接続箇所であって、光源Ｌと対向する箇所には、光源Ｌの光を受光して前記中間部に送る受光部６３が形成されている。
【００２３】
前記棒状部は、表示板４に沿って延び指標部４１を指示する指示部６４と、この指示部６４と回転基部６２とを繋ぐ中間部６５とを有し、中間部６５は、回転基部６２の一部から表示部材５側に向かい指示部６４及び回転基部６２とは異なる斜め方向に延びており、受光部６３より受光した光は、中間部６５を通じて指示部６４に導入され、指示部６４が発光する。
【００２４】
遮光カバー７は、例えば黒色の遮光性合成樹脂からなり、全部で三つの部品に分割形成されている。
【００２５】
第１のカバー部７１は、本実施形態の場合、中間部６５全体から指示部６４の一部に渡る前記棒状部の背面とその両側面を覆う横断面略凹状のケース体からなる。
【００２６】
第１のカバー部７１の回転基部６２側端部には、回転基部６２に設けた突起部６２１に対応する位置決め片７１１が中間部６５を挟んだ両側に突き出し形成され、また第１のカバー部７１の指示部６４側端部には、指示部６４の一部を挿入可能なように指示部６４の長手方向に開口する筒部７１２が形成されている。筒部７１２の側壁部には、後述する第２のカバーの係合孔に係合する爪部７１３が突出形成されている。
【００２７】
第２のカバー部７２は、本実施形態の場合、指示部６４と中間部６５との接続部分に渡る前記棒状部箇所の前面とその両側面を覆う横断面略凹状のケース体からなる。
【００２８】
この第２のカバー部７２は、第２のカバー部７２が外側、第１のカバー部７１が内側となるよう互いの側壁が組み合わされるもので、第２のカバー部７２の側壁には、第１のカバー部７１の側壁に設けた爪部７１３に係合する係合孔７２１が形成されている。
【００２９】
第３のカバー部７３は、本実施形態の場合、第２のカバー部７２と一体に連続形成され、指示部６４の略全体に渡る前記棒状部箇所の前面とその両側面を覆う横断面略凹状のケース体からなり、その前面側には指示部６４を部分的に露出するスリット７３１が形成されている。
【００３０】
第４のカバー部７４は、回転基部６２と中間部６５の回転基部６２側箇所とを覆うもので、組み付け時に指示部６４を通すための開口部７４１と、指針６の回転基部６２との間で第１のカバー部７１の位置決め片７１１を挟み付け固定するための底壁部７４２と、指針６の回転基部６２に係合することで底壁部７４２との間で回転基部６２を挟み付け固定する係合爪７４３とを有している（図７参照）。
【００３１】
次に図６に基づいて遮光カバー７の組み付けを説明する。
まず第１のカバー部７１を指針６に装着する。第１のカバー部７１の装着は、指示部６４の先端と第１のカバー部７１の筒部７１２を位置合わせし、筒部７１２に指針６の指示部６４を通して第１のカバー部７１を指針６の長手方向に沿って移動（指針６を移動させてもよい）させ、中間部６５全体から指示部６４の一部に渡る前記棒状部の背面とその両側面を覆うように装着する。この際、位置決め片７１１が回転基部６２に設けた突起部６２１を超えた箇所Ｐで突起部６２１にて位置決めされ、また指示部６４が筒部７１２の元部に挿入されることで、第１のカバー部７１が指針６に仮止め保持される。
【００３２】
次に第１のカバー部７１を装着した指針６に第４のカバー部７４を装着する。第４のカバー部７４の装着は、第１のカバー部７１を装着した指針６の先端を第４のカバー部７４の背後から開口部７４１に位置合わせし、開口部７４１に指示部６４を通して前面側に突出（露出）させると共に回転基部６２全体と中間部６５の回転基部６２側箇所を第４のカバー部７４で覆うように装着する。この際、第４のカバー部７４の底壁部７４２に第１のカバー部７１の位置決め片７１１が当接した状態でで、係合爪７４３が回転基部６２の背面に係合する。すると、第４のカバー部７４の底壁部７４２と係合爪７４３との間で回転基部６２が挟み付け固定され、これにより、指針６と第１のカバー部７１と第４のカバー部７４の三者が組み付け固定される（図７参照）。
【００３３】
最後に第１のカバー部７１と第４のカバー部７４を装着した指針６に第２，第３のカバー部７２，７３ を装着する。第２，第３のカバー部７２，７３ の装着は、第１のカバー部７１と第４のカバー部７４を装着した指針６の指示部６４の前方から、指示部６４全体と指示部６４と中間部６５との接続部分に渡る前記棒状部箇所の前面とその両側面を覆うように装着する。第２，第３のカバー部７２，７３ の指針６に対する位置決めは、第３のカバー部７３の先端部と第２のカバー７３の中間部６５側端部との形成された図示しない位置決めを通じて行われ、また第２，第３のカバー部７２，７３ の指針６に対する固定は、第１のカバー部７１の爪部７１３に第２のカバーの係合孔７２１を係合することにより行われ、以上により第１〜第４のカバー部７１〜７４の指針６への装着と結合が終了する。
【００３４】
以上のように、本実施形態では、指針軸２１を突設してなる駆動装置２と、この駆動装置２の前方に配置され指標部４１を有する表示板４と、透光性材料からなり指針軸２１に連結される連結部６１と指針軸２１の回転平面方向に延びる回転基部６２と表示板４に沿って延び指標部４１を指示する指示部６４とこの指示部６４と回転基部６２とを繋ぐように指示部６４及び回転基部６２とは異なる方向に延びる中間部６５とを有する指針６と、この指針６の少なくとも回転基部６２上を覆い指示部６４と指標部４１を露出するように配置される表示部材５とを備え、指針６の少なくとも中間部６５が互いに分割形成された第１，第２のカバー部７１，７２を組み合わせてなる遮光カバー７に覆われてなる指示計器において、第１のカバー部７１に指針６が挿入される筒部７１２を部分形成してなることにより、組み付け時に互いに分割形成された遮光カバーの分割片のうち第１のカバー部７１を筒部７１２を通じて保持できるため、組み付け時に分割片の脱落を防止でき、組み付け性を良好なものとなし得る。なお筒部７１２は、第２のカバー部７２に設けることもできる。
【００３５】
また本実施形態では、第２のカバー部７２に指示部６４を部分的に覆う第３のカバー部７３を連続形成したことにより、指示部を覆う専用のカバー部材を設ける必要がなく、コストダウンを達成することができる。なお第３のカバー部７３は、第１の第１のカバー部７１に設けることもできる。
【００３６】
また本実施形態では、回転基部６２が第４のカバー部７４にて覆われてなることにより、回転基部６２からの光漏れを抑制することができる。
【符号の説明】
【００３７】
１  回路基板
２  駆動装置
３  ケース体
４  表示板
５  表示部材
６  指針
７  遮光カバー
２１  指針軸
４１  指標部
４２  貫通孔
５１  表示素子
５２  保持体
６１  連結部
６２  回転基部
６３  受光部
６４  指示部
６５  中間部
７１  第１のカバー部
７２  第２のカバー部
７３  第３のカバー部
７４  第４のカバー部
６２１  突起部
７１１  位置決め片
７１２  筒部
７１３  爪部
７２１  係合孔
７３１  スリット
７４１  開口部
７４２  底壁部
７４３  係合爪
Ｌ  光源
Ｐ  箇所
【図１】
2011064522.tif 000003
【図２】
2011064522.tif 000004
【図３】
2011064522.tif 000005
【図４】
2011064522.tif 000006
【図５】
2011064522.tif 000007
【図６】
2011064522.tif 000008
【図７】
2011064522.tif 000009